(57)【要約】【課題】手を濡らさず、回転刃による怪我の恐れもなく、大量の植物の茎や枝の水切りを安全かつ短時間で可能で、また回転刃の直下領域に植物の切断切り屑が溜まり難い植物の茎枝水切り機を提供する。【解決手段】水槽１５と、水槽１５内の水面下の領域に水平配置されて、複数本の花１６の茎の切断箇所を切断する回転刃１７と、その回転モータ１８と、各花１６の切断箇所を切断位置ａ，ｂに向かって移動させる一対の平行な茎枝切断用通路２０Ａ、２０Ｂと、水槽１５の開口部のうち、各通路２０Ａ、２０Ｂの真上の部分に、これらの通路２０Ａ、２０Ｂと長さ方向を揃えて配されて、各花１６を起立状態で保持する一対の平行な起立保持ガイド溝２２Ａ，２２Ｂとを備えた。【選択図】図１
2020082324.tif 000002
【特許請求の範囲】
【請求項１】
貯水される水槽と、
該水槽内の水面下の領域に水平配置されて、該水槽内に差し込まれた複数本の植物の茎や枝の切断箇所を、自身の両側の切断位置でそれぞれ切断する回転刃と、
該回転刃を水平回転する回転モータと、
前記水槽内の前記回転刃の両側方に配されて、前記複数本の植物の茎や枝の切断箇所を前記回転刃の対応する切断位置に向かって移動させる際の通路となる一対の平行な茎枝切断用通路と、
前記水槽の開口部のうち、前記各茎枝切断用通路の真上の部分に、該各茎枝切断用通路と長さ方向を揃えて配されて、該各茎枝切断用通路を移動中の前記複数本の植物を、それぞれ起立状態で保持する一対の平行な起立保持ガイドとを備えたことを特徴とする植物の茎枝水切り機。
【請求項２】
前記水槽内の前記各茎枝切断用通路の側方には、前記水槽内に差し込まれた前記複数本の植物の茎や枝の切断箇所を、前記回転刃の両側の切断位置に向かってガイドする一対の平行なガイドレールが配置されたことを特徴とする請求項１に記載の植物の茎枝水切り機。
【発明の詳細な説明】
【技術分野】
【０００１】
本発明は、各種の植物の茎または枝を水切りするための植物の茎枝水切り機に関する。
【背景技術】
【０００２】
一束の切花の茎を纏めて切断する器具として、例えば、特許文献１に開示された押切カッター等が知られている。押切カッターの使用時には、押切刃の柄部を握り、この柄部を、押切刃の先端部に配された回動軸を中心にして押し下げることにより、押切刃の直下に配された切花の茎の切断箇所をカットする。
しかしながら、この押切カッターによる切花の茎の切断は空気中で行われるため、切り口から茎の毛細管（導管）に空気が入り込み、この管を詰まらせて花枯れを早めてしまう。
そこで、従前より切花の寿命を長くする水揚げの方法として、茎の毛細管に空気が侵入しないように、水中でハサミにより茎をカットする“水切り”が知られている。
【先行技術文献】
【特許文献】
【０００３】
【特許文献１】実開平６−６６９９５号公報
【発明の開示】
【発明が解決しようとする課題】
【０００４】
しかしながら、この水切り作業では、切花の茎を水中に浸してハサミにより茎の切断箇所をカットするため、冠婚葬祭等で毎日大量の切花が取り扱われる生花店や生花問屋及び花卉生産者にあっては、従業員に対して、冬季でも手を水で濡らし、ハサミによる怪我の危険性がある重労働を、長時間にわたって強いていた。
【０００５】
そこで、発明者は鋭意研究の結果、水槽内の水面下の領域に回転モータにより水平回転する回転刃を配置し、この回転刃の両側方に配された一対の茎枝切断用通路を通って、水槽内に差し込まれた複数本の植物の茎または枝の切断箇所を、回転中の回転刃の両側の切断位置に向かってそれぞれ移動して切断（水切り）するとともに、これらの植物の移動の際に、各植物を起立状態で保持する一対の起立移動ガイドを水槽の開口部に配するように構成すれば、上述した課題は全て解消されることを知見し、本発明を完成させた。
【０００６】
本発明は、このような問題点に鑑みなされたもので、手を水で濡らすことなく、回転刃による怪我の恐れもなく、回転刃の両側の切断位置で大量の植物の茎や枝の水切りを安全かつ短時間で行えるとともに、回転刃の直下の領域から植物の切り屑を自動的に除去することにより、茎や枝の切断作業を長時間連続して行うことが可能な植物の茎枝水切り機を提供することを目的としている。
【課題を解決するための手段】
【０００７】
請求項１に記載の発明は、貯水される水槽と、該水槽内の水面下の領域に水平配置されて、該水槽内に差し込まれた複数本の植物の茎や枝の切断箇所を、自身の両側の切断位置でそれぞれ切断する回転刃と、該回転刃を水平回転する回転モータと、前記水槽内の前記回転刃の両側方に配されて、前記複数本の植物の茎や枝の切断箇所を前記回転刃の対応する切断位置に向かって移動させる際の通路となる一対の平行な茎枝切断用通路と、前記水槽の開口部のうち、前記各茎枝切断用通路の真上の部分に、該各茎枝切断用通路と長さ方向を揃えて配されて、該各茎枝切断用通路を移動中の前記複数本の植物を、それぞれ起立状態で保持する一対の平行な起立保持ガイドとを備えたことを特徴とする植物の茎枝水切り機である。
【０００８】
水槽の形状は任意である。例えば、矩形容器状などを採用することができる。
ここでいう“水槽内の水面下の領域”とは、水槽の内部空間のうち、水が貯められる部分をいう。
植物の種類は限定されない。例えば、バラ、チューリップ、ユリ、ガーベラ、ラン、スイートピー、コスモス、フリージア、キク、スプレーマム、カーネーション、トルコギキョウ、マーガレットなどの花物が挙げられる。その他、ライラック、おおでまり、あじさい、ユキヤナギなどの枝物でもよい。
植物の切断に際しては、複数本の植物を束にして行うことが一般的であるものの、１本ずつカットしてもよい。
植物の茎枝の切断長さ（茎枝の基端から切断箇所（切断位置）までの高さ、切断切り屑の長さ）は、例えば、各茎枝切断用通路の底面（水槽の底面）から回転刃の下面までの高さによって決定することができる。これを応用して、回転刃の高さ変更手段、または、各茎枝切断用通路の底面の高さ変更手段を設けて、植物の茎枝の切断長さを適宜変更可能としてもよい。
【０００９】
回転刃の形状は任意である。例えば、円形状、三角形以上の多角形状などを採用することができる。また、回転刃は、外周部全域にノコギリ状の刃先が配されたものでもよい。
回転刃の切断位置は、回転刃のうち、回転中心を通る直径方向の両側（両側部分）である。
回転刃の回転方向は任意である。
回転モータの種類は限定されない。例えば、電動モータなどを採用することができる。
【００１０】
ここでいう“茎枝切断用通路”とは、水槽の内部空間のうち、回転刃の両側方に配されて、複数本の植物（茎または枝の切断箇所）を回転刃の両側の切断位置に向かって移動させために、各種の通路仕切り材によって仕切られた実存の通路、または、これにより仕切られていない仮想の通路である。
各茎枝切断用通路における複数本の植物の茎や枝の切断箇所の移動方向は、回転刃の回転方向によって異なる。すなわち、これらの移動方向は、回転刃の回転方向と対峙するように、互いに反対方向とした方が、各植物の茎や枝の切断効率が高まり、回転刃を低速回転しても良好に切断できるために好ましい。
【００１１】
各起立保持ガイドは、例えば、水槽の開口を塞ぐ上板または蓋板に形成された長孔でも、水槽の開口に配されたガイドバーやガイドレールでもよい。
「各茎枝切断用通路の真上の部分に、各茎枝切断用通路と長さ方向を揃えて配される」とは、平面視して、対応する起立保持ガイドと茎枝切断用通路とが、互いに重なり合うように配されていることをいう。
【００１２】
請求項２に記載の発明は、前記水槽内の前記各茎枝切断用通路の側方には、前記水槽内に差し込まれた前記複数本の植物の茎や枝の切断箇所を、前記回転刃の両側の切断位置に向かってガイドする一対の平行なガイドレールが配置されたことを特徴とする請求項１に記載の植物の茎枝水切り機である。
【００１３】
各ガイドレールの素材は任意である。例えば、各種の金属、各種のプラスチックなどを採用することができる。
各ガイドレールの断面形状やサイズも任意である。
【発明の効果】
【００１４】
本発明によれば、水槽内の水面下に配置された回転刃を、回転モータにより水平回転させ、この状態のまま、水槽内に差し込まれた各植物の茎または枝の切断箇所を、一対の茎枝切断用通路を通して、回転刃の両側の切断位置へ向かってそれぞれ移動させ、最終的にこれらを回転刃に押し当てて切断する。
また、各植物を各茎枝切断用通路に沿って移動する際、水槽の開口部（水面上）に配された各起立保持ガイドにより各植物の起立状態が保持されるとともに、作業中、誤って作業者の手が水に触るおそれもない。
【００１５】
その結果、作業者は手を水で濡らすことがなく、回転刃による怪我の恐れもなく、回転刃の両側において大量の植物の茎や枝の水切りを安全かつ短時間で行うことができる。
また、切断された植物の切り屑は、回転刃の回転によって発生した水流により、回転刃の直下領域から自動的に除去される。そのため、回転刃の直下の領域から、植物の切り屑を除去する作業が不要となり、これも相まって植物の茎枝の切断作業を長時間連続して行うことができる。
なお、各茎枝切断用通路における複数本の植物の移動方向は、回転刃の回転方向と対峙するように互いに反対方向としてもよい。このようにすれば、各植物の茎や枝の切断効率が高まり、回転刃を低速回転しても良好に切断することができる。
【００１６】
特に、請求項２に記載の発明によれば、各植物の茎または枝の回転刃の両側での切断時において、各植物の茎または枝の切断箇所は、一対の平行なガイドレールによってそれぞれ案内されながら、回転刃の両側の切断位置に向かって移動される。これにより、各植物の茎または枝の切断箇所を、回転刃の両側の切断位置まで円滑にガイドすることができる。
【図面の簡単な説明】
【００１７】
【図１】本発明の実施例１に係る植物の茎枝水切り機の使用状態を示す正面図である。
【図２】本発明の実施例１に係る植物の茎枝水切り機の使用状態を示す平面図である。
【図３】本発明の実施例１に係る植物の茎枝水切り機の使用状態を示す側面図である。
【発明を実施するための形態】
【００１８】
以下、本発明の実施例を具体的に説明する。なお、ここでは説明の都合上、植物の茎枝水切り機の長さ方向の一方向をＸ１方向、その反対方向をＸ２方向、植物の茎枝水切り機の幅方向の一方向をＹ１方向、その反対方向をＹ２方向、上方向をＺ１方向、下方向をＺ２方向とする。
【実施例】
【００１９】
図１〜図３において、１０は本発明の実施例１に係る植物の茎枝水切り機（以下、茎枝水切り機）で、この茎枝水切り機１０は、上面が開口した横長な矩形容器状の本体ケーシング１１を有している。本体ケーシング１１のサイズは、Ｘ１−Ｘ２方向が９０ｃｍ、Ｙ２−Ｙ２方向が４５ｃｍ、Ｚ１−Ｚ２方向が９０ｃｍで、その底板１２のＸ１側の各角部に、ストッパ付きの自在キャスタ１３が配設される一方、底板１２のＸ２側の各角部に固定キャスタ１４が配設されて、手押し可能に構成されている。
本体ケーシング１１内の上部空間には、その外周部を除く略全域に、横長な矩形容器状の水槽１５が設けられている。水槽１５のサイズは、Ｘ１−Ｘ２方向の長さが８０ｃｍ、Ｙ２−Ｙ２方向の長さが３５ｃｍ、Ｚ１−Ｚ２方向の高さが２５ｃｍである。
【００２０】
水槽１５内の底部空間の中央部には、水槽１５内に差し込まれた複数本の花（植物、以下花束）１６の茎の下端部（切断箇所）を、両側の切断位置ａ，ｂでそれぞれ切断する回転刃１７が水平状態で収納されている。
回転刃１７は、外周部がノコギリ状となった直径２３ｃｍの円板である。回転刃１７の中央部には、本体ケーシング１１の下部空間の中央部に立設された電動式の回転モータ１８の出力軸１９が連結されている。出力軸１９の上端部は、水槽１５の底板１５ａの中央部に固着された図示しない防水軸受を通って、水槽１５の底部空間に突出されている。また、底板１５ａの上面と回転刃１７との隙間は、２ｃｍに設定されている。この隙間が、花束１６の茎の下端部を切断する際の切断長さとなる。このように、茎の切断長さを２ｃｍとしているのは、切花として市販される植物は、茎が長いほど商品価値が高いためである。
【００２１】
水槽１５の内部空間のうち、回転刃１７のＹ１―Ｙ２の両側方には、回転刃１７の両側方の切断位置ａ，ｂに向かって、作業者が花束１６の茎を握って移動させるための、Ｘ１−Ｘ２方向に長い一対の茎枝切断用通路２０Ａ、２０Ｂが平行配置されている。各茎枝切断用通路２０Ａ、２０Ｂは、手持ちサイズの花束１６の茎が通過可能な幅を有する、仕切り材がない仮想の通路である。
水槽１５の開口部には、Ｘ１−Ｘ２方向に長い矩形状の天板（投入カバー板、上板）２１が取り付けられている。天板２１のＹ１−Ｙ２側には、対応する茎枝切断用通路２０Ａ、２０Ｂの真上の部分に、各茎枝切断用通路２０Ａ、２０Ｂを移動中の各花束１６を、それぞれ起立状態で保持する一対の平行な起立保持ガイド溝（起立保持ガイド）２２Ａ、２２Ｂが形成されている。各起立保持ガイド溝２２Ａ、２２Ｂは、花束１６を直立状態で水平方向へ移動し易いように、Ｘ１−Ｘ２方向の長さを５０ｃｍ、Ｙ１−Ｙ２方向の長さを１０ｃｍとしている。
【００２２】
また、水槽１５のＹ１−Ｙ２側の各壁板２３，２４には、そのＸ１−Ｘ２方向の両端部を除いた部分（長さ方向の中央部分）に、Ｘ１−Ｘ２方向に長い一対のガイドレール２５Ａ、２５Ｂが配設されている。このうち、Ｙ１側の起立保持ガイド溝２２ＡのＸ１側の端部が、一方の花束１６の水槽１５への投入口（一方の投入口）２２ａとなり、そのＸ２側の端部が、切断処理を行った一方の花束１６の取出口（一方の取出口）２２ｂとなる。同様に、Ｙ２側の起立保持ガイド溝２２ＢのＸ２側の端部が、他方の花束１６の投入口（他方の投入口）２２ａで、そのＸ１側の端部が、切断処理した他方の花束１６の取出口（他方の取出口）２２ｂとなる。
【００２３】
各ガイドレール２５Ａ、２５Ｂは、断面逆Ｌ字状の板材である。各ガイドレール２５Ａ、２５Ｂは、各垂直な下部分が、水槽１５のＹ１−Ｙ２側の対応する壁板２３，２４の内側に固定されている。一方、各ガイドレール２５Ａ、２５Ｂの水平に屈曲した上部分が、平面視して、各起立保持ガイド溝２２Ａ、２２Ｂの幅方向の中間部まで突出したガイド上枠２５ａとなっている。各ガイド上枠２５ａの設置高さは、回転刃１７より高位置となる水槽１５の約半分の高さ（深さ）である。
また、Ｙ１側のガイド上枠２５ａのＸ１側の端部には、Ｘ１方向へ徐々に先細りして、一方の花束１６を回転刃１７の中心部へ近づける内寄せ用傾斜部２５ｂが形成される。一方、Ｙ２側のガイド上枠２５ａのＸ２側の端部には、Ｘ２方向へ徐々に先細り化した別の内寄せ用傾斜部２５ｂが形成されている。
【００２４】
次に、図１〜図３を参照して、本発明の実施例１に係る茎枝水切り機１０の使用方法を説明する。ここでは、二人の作業者により、一対の花束１６の茎の下端部を同時に水切りする場合を例にして説明する。もちろん、一人の作業が、一方の茎枝切断用通路２０Ａ，２０Ｂの何れかを利用して水切り作業を行ってもよい。
図１〜図３に示すように、まず水槽１５の底部のみに水を貯めるとともに、回転モータ１８のスイッチを入れ、回転刃１７を時計とは反対方向へ回転させる。このときの水面の高さは、回転刃１７が水面下となる、各ガイドレール２５Ａ、２５Ｂの高さの半分である（図１および図３を参照）。回転刃１７の回転によって、水槽１５内の水には、常に回転刃１７の出力軸１９を中心とした水流が発生している（図２を参照）。
【００２５】
その後、茎枝水切り機１０のＹ１−Ｙ２の両側方に、向かい合わせで二人の作業者を配置する。このうち、Ｙ１側の作業者が一方の花束１６を握り、これをＹ１側の起立保持ガイド溝２２ＡのＸ１側の端部に配された投入口２２ａに投入する（差し込む）。これにより、水槽１５内に差し込まれた一方の花束１６の下端が、Ｙ１側の茎枝切断用通路２０ＡのＸ１側の底面（底板１５ａ）に当接する。
一方、Ｙ２側の作業者が他方の花束１６を握り、これをＹ２側の起立保持ガイド溝２２ＢのＸ２側の端部に在る投入口２２ａに投入する。これにより、水槽１５内に差し込まれた他方の花束１６の下端が、Ｙ２側の茎枝切断用通路２０ＢのＸ２側の底面に当接する。
【００２６】
その後、各作業者は、各ガイドレール２５Ａ、２５Ｂをガイドにしながら、各花束１６を対応する茎枝切断用通路２０Ａ、２０Ｂに通して、これらの底面への各花束１６の下端の当接状態を維持しながら、回転中の回転刃１７の各切断位置ａ，ｂへ向かってそれぞれ移動させ、最終的にこれらを回転刃１７に押し当てて水切り（切断）する。
具体的には、Ｙ１側の作業者が一方の花束１６を、Ｙ１側の茎枝切断用通路２０Ａに沿ってＸ２方向へ引っ張るように移動させる。このとき、一方の花束１６は、天板２１に形成されたＹ１側の起立保持ガイド溝２２Ａにより起立状態が保持され、作業中に手が水に触るおそれもない。
また、移動中の一方の花束１６は、まずＹ１側のガイド上枠２５ａのＸ１側の端部で内寄せ用傾斜部２５ｂに当接し、それに沿ってＸ２−Ｙ２方向へ斜めにガイドされながら、回転刃１７の中心部に近づいて行く。その後は、一方の花束１６が、Ｙ１側のガイド上枠２５ａの本体部分に沿ってＸ２方向へ移動し、Ｙ１側の切断位置ａで回転刃１７によって切断される。
【００２７】
一方、Ｙ２側の作業者が他方の花束１６を、Ｙ２側の茎枝切断用通路２０Ｂに沿ってＸ１方向へ引っ張るように移動させる。このとき、他方の花束１６は、天板２１のＹ２側の起立保持ガイド溝２２Ｂによって起立状態が保持される。
Ｙ２側の茎枝切断用通路２０Ｂを移動中の他方の花束１６は、まずＹ２側のガイド上枠２５ａのＸ２側の端部において内寄せ用傾斜部２５ｂに当接し、それに沿ってＸ１−Ｙ１方向へ斜めにガイドされながら、回転刃１７の中心部へ近づいて行く。その後は、他方の花束１６が、Ｙ２側のガイド上枠２５ａの本体部分に沿ってＸ１方向へ移動し、Ｙ２側の切断位置ｂで回転刃１７によって切断される。
切断された各花束１６は、対応する茎枝切断用通路２０Ａ、２０Ｂの取出口２２ｂに到達したとき、それぞれ水槽１５から引き抜かれる。その後は、上述した作業を順次繰り返す。
【００２８】
これにより、１台の茎枝水切り機１０を使用して、２束の花束１６の茎を同時に水切りすることができる。その結果、作業者は手を水で濡らさず、回転刃１７による怪我の恐れもなく、回転刃１７の両側において大量の花束１６を安全かつ短時間で水切りすることができる。
また、切断された切り屑１６ａは、回転刃１７の回転によって発生した水流により、回転刃１７の直下の領域から周辺領域へと自動的に排除される（図２を参照）。そのため、この回転刃１７の直下から、作業者が切り屑１６ａを取り除く作業が不要となり、花束１６の茎の切断作業を長時間連続して行うことができる。
【００２９】
さらに、各花束１６の茎の下端部の切断時において、これらの花束１６の茎は、一対の平行なガイドレール２５Ａ、２５Ｂにガイドされながら、回転刃１７の両側の切断位置ａ，ｂに向かって移動される。これにより、各花束１６の茎の下端部を、切断位置ａ，ｂまでスムーズに移動させることができる。
さらにまた、回転刃１７の回転方向を反時計回りとし、この回転方向と対峙するように、一方の花束１６の移動方向をＸ２方向とし、他方の花束１６の移動方向をＸ１方向としている。これにより、各花束１６の茎の切断効率が高まり、仮に回転刃１７を低速回転しても、各花束１６の茎を良好に切断することができる。また、回転刃１７の回転方向は時計回りであってもよい。
なお、水槽１５の底部には、排水用のホースや、切り屑１６ａを網により捕集する切り屑回収部を設けてもよい。
【産業上の利用可能性】
【００３０】
本発明は、植物の茎枝を水切りするための技術として有用である。
【符号の説明】
【００３１】
１０  植物の茎枝水切り機
１５  水槽
１６  花（植物）
１７  回転刃
１８  回転モータ
２０Ａ、２０Ｂ  茎枝切断用通路
２２Ａ、２２Ｂ  起立保持ガイド溝（起立保持ガイド）
２５Ａ、２５Ｂ  ガイドレール
ａ，ｂ  切断位置
【図１】
2020082324.tif 000003
【図２】
2020082324.tif 000004
【図３】
2020082324.tif 000005
【手続補正書】
【提出日】令和2年3月21日(2020.3.21)
【手続補正１】
【補正対象書類名】特許請求の範囲
【補正対象項目名】全文
【補正方法】変更
【補正の内容】
【特許請求の範囲】
【請求項１】
貯水される水槽と、
該水槽内の水面下の領域に水平配置されて、該水槽内に差し込まれた複数本の植物の茎や枝の切断箇所を、自身の両側の切断位置でそれぞれ切断する回転刃と、
該回転刃を水平回転する回転モータと、
前記回転刃は、該回転モータの出力軸を介して前記水槽の底部空間に突出されており、前記水槽の底板の上面と回転刃との隙間は前記植物の茎や枝の下端部を切断する際の切断長さとなっており、
前記水槽内の前記回転刃の両側方に配されて、前記複数本の植物の茎や枝の切断箇所を前記回転刃の対応する切断位置に向かって移動させる際の通路となる一対の平行な茎枝切断用通路と、
前記各茎枝切断用通路の真上の部分に、該各茎枝切断用通路と長さ方向を揃えて配されて、該各茎枝切断用通路を移動中の前記複数本の植物を、それぞれ起立状態で保持する一対の平行な起立保持ガイドとを備えており、前記起立保持ガイドは、前記水槽の開口部に水槽の開口を塞ぐ上板または蓋板に形成された長孔、又は、水槽の開口に配されたガイドバー若しくはガイドレールであり、平面視して、対応する起立保持ガイドと前記茎枝切断用通路とが、互いに重なり合うように配されていることを特徴とする植物の茎枝水切り機。
【請求項２】
前記水槽内の前記各茎枝切断用通路の側方には、前記水槽内に差し込まれた前記複数本の植物の茎や枝の切断箇所を、前記回転刃の両側の切断位置に向かってガイドする一対の平行なガイドレールが配置されたことを特徴とする請求項１に記載の植物の茎枝水切り機。
【手続補正２】
【補正対象書類名】明細書
【補正対象項目名】０００７
【補正方法】変更
【補正の内容】
【０００７】
請求項１に記載の発明は、貯水される水槽と、該水槽内の水面下の領域に水平配置されて、該水槽内に差し込まれた複数本の植物の茎や枝の切断箇所を、自身の両側の切断位置でそれぞれ切断する回転刃と、該回転刃を水平回転する回転モータと、前記回転刃は、該回転モータの出力軸を介して前記水槽の底部空間に突出されており、前記水槽の底板の上面と回転刃との隙間は前記植物の茎や枝の下端部を切断する際の切断長さとなっており、前記水槽内の前記回転刃の両側方に配されて、前記複数本の植物の茎や枝の切断箇所を前記回転刃の対応する切断位置に向かって移動させる際の通路となる一対の平行な茎枝切断用通路と、前記水槽の開口部のうち、前記各茎枝切断用通路の真上の部分に、該各茎枝切断用通路と長さ方向を揃えて配されて、該各茎枝切断用通路を移動中の前記複数本の植物を、それぞれ起立状態で保持する一対の平行な起立保持ガイドとを備えており、前記起立保持ガイドは、前記水槽の開口部に水槽の開口を塞ぐ上板または蓋板に形成された長孔、又は、水槽の開口に配されたガイドバー若しくはガイドレールであり、平面視して、対応する起立保持ガイドと前記茎枝切断用通路とが、互いに重なり合うように配されていることを特徴とする植物の茎枝水切り機である。